(57)【要約】【課題】簡単な構成で光増幅器監視システムを提供する。【解決手段】センター局と光増幅器には，夫々波長分割多重化装置を備え，該波長分割多重化装置を一本の光ファイバを介して対抗配置した光伝送路を構成し，該光伝送路を介して，センター局からは，センター局の光送信機で下り電気信号を光信号に変換した下り光信号を，光増幅器に送出すると共に，この光増幅器に備えられて動作状態を監視・制御する監視手段に接続された光増幅器側のメディアコンバーターと，センター局に備えられ，光増幅器側のメディアコンバーターとの間で，光信号の送受信を行う光送信機側のメディアコンバーターと，該光送信機側のメディアコンバーターに接続され前記光増幅器を監視・制御する光増幅器監視装置との間で信号を送受するように構成し，各メディアコンバーター間に伝送される信号と前記下り光信号とを波長多重して伝送する。【選択図】  図１
2005318314.tif 000002
【特許請求の範囲】
【請求項１】
センター局から光伝送路を介して光増幅器と接続するように構成されたＣＡＴＶシステムにおいて，
前記センター局と前記光増幅器には，夫々波長分割多重化装置を備え，当該波長分割多重化装置を一本の光ファイバを介して対抗配置した光伝送路を構成し，
当該光伝送路を介して，
前記センター局からは，センター局の光送信機において下り電気信号を光信号に変換した下り光信号を前記光増幅器に送出すると共に，
前記光増幅器に備えられ，当該光増幅器の動作状態を監視・制御する監視手段に接続された光増幅器側のメディアコンバーターと，前記センター局に備えられ，前記光増幅器側のメディアコンバーターとの間で，光信号の送受信を行う光送信機側のメディアコンバーターと，当該光送信機側のメディアコンバーターに接続され前記光増幅器を監視・制御する光増幅器監視装置との間で信号を送受するように構成し，前記メディアコンバーター間に伝送される信号と前記下り光信号とを波長多重して伝送するようにしたことを特長とした光増幅器監視システム。
【請求項２】
センター局とサブセンター局間を，光伝送路を介して光増幅器で接続されたＣＡＴＶシステムにおいて，
前記センター局とセンター局側の光増幅器には，夫々波長分割多重化装置を備え，当該波長分割多重化装置を一本の光ファイバを介して対抗配置したセンター局側の光伝送路と，
サブセンター局側の光増幅器と前記サブセンター局には，夫々波長分割多重化装置を備え，当該波長分割多重化装置を一本の光ファイバを介して対向配置したサブセンター局側の光伝送路と，
前記センター局側の光増幅器と前記サブセンター局側の光増幅器との間を接続する一本の光伝送路で接続されており，
前記センター局側の光伝送路を介して，
前記センター局から前記センター局側の光増幅器へは，前記センター局の光送信機において下り電気信号を光信号に変換した下り光信号を前記センター局側の光増幅器に送出し，
当該センター局側の光増幅器に備えられ，当該光増幅器の動作状態を監視・制御する監視手段に接続されたメディアコンバーターと，前記センター局に備えられ，前記センター局側の光増幅器に備えたメディアコンバーターとの間で光信号の送受信を行う光送信機側のメディアコンバーターと，当該光送信機側のメディアコンバーターに接続され，前記センター局側の光増幅器を監視・制御する光増幅器監視装置との間で信号を送受し，前記光送信機側とセンター局側の光増幅器に備えたメディアコンバーター間に伝送される信号と前記下り信号を波長多重して伝送すると共に，
前記サブセンター局側の光伝送路を介して，
前記サブセンター局側の光増幅器から前記サブセンター局へは，前記センター局から送出された下り光信号を前記サブセンター局に備えた光受信機に送出し， 
前記サブセンター局側の光増幅器に備えられ，当該光増幅器の動作状態を監視・制御する監視手段に接続されたサブセンター局側の光増幅器に備えたメディアコンバーターと，前記サブセンター局に備えられ，前記サブセンター側の光増幅器のメディアコンバーターとの間で光信号の送受信を行う光受信機側のメディアコンバーターと，当該光受信機側のメディアコンバーターに接続され，前記サブセンター局側の光増幅器を監視・制御する光増幅器監視装置との間で信号を送受し，前記センター局側の光増幅器と光送信機側とに備えたメディアコンバーター間に伝送される信号と前記下り信号を波長多重して伝送するようにしたことを特長とした光増幅器監視システム。
【請求項３】
前記センター局とサブセンター局を接続する光伝送路には一つの光増幅器が備えられ，当該光増幅器に備えた波長分割多重化装置は，この光増幅器の入力側に接続された光伝送路若しくは出力側に接続された光伝送路の何れかに選択的に接続できるように構成することで，前記光増幅器は前記センター局からの下り光信号を増幅してサブセンター局側に送出すると共に，前記光増幅器側のメディアコンバーターの光信号を，前記光増幅器の入力側若しくは出力側の何れかに波長多重して送受できるように構成した請求項２に記載の光増幅器監視システム。
【請求項４】
サブセンター局は，波長分割多重化装置と，下り光信号を下り電気信号に変換する光受信機と，光受信機側のメディアコンバーターと，モデムとからなり，
当該モデムは前記センター局に備えた光増幅器監視装置と電話線で接続されることによって，
前記センター局に備えた光増幅器監視装置は，光伝送路に設けた光増幅装置を監視・制御するように構成したことを特徴とした請求項２又は３に記載の光増幅器監視システム。
【請求項５】
前記サブセンター局に備えた，波長分割多重化装置と，下り光信号を下り電気信号に変換する光受信機と，光受信機側のメディアコンバーターと，モデムとを端末側の装置として宅内に配設したことを特徴とした請求項４に記載の光増幅器監視システム。
【請求項６】
光増幅器において，
当該光増幅器には，波長分割多重化装置と，当該光増幅器の動作状態を監視・制御する監視手段に接続されたメディアコンバーターとが備えられ，
前記波長分割多重化装置は，この光増幅器の入力側若しくは出力側の何れかに選択的に接続できるように構成し，前記光増幅器に備えたメディアコンバーターの光信号を，前記光増幅器の入力側若しくは出力側の何れかに波長多重して送受できるように構成したことを特徴とした光増幅器。
【発明の詳細な説明】
【技術分野】
【０００１】
本発明は，主に光伝送路を用いてＣＡＴＶ信号を伝送するＣＡＴＶ光伝送システムに関し，詳しくは前記ＣＡＴＶ光伝送システムに利用される光増幅器の監視方法及び光増幅器に関する。
【背景技術】
【０００２】
２つの異なる伝送媒体間で信号変換を行うメディアコンバーター同士を遠隔伝送用の伝送媒体を介して対抗させて，夫々ローカル伝送用の伝送媒体によるデータを相互に遠隔中継するシステムにおいて，メディアコンバーターは，光インターフェイスを有し，通信サービスを提供する通信事業社側のメディアコンバーターと通信サービスを受けるユーザー側のメディアコンバーターとの間で光インターフェイス同士を光ファイバで接続することで，夫々のメディアコンバーターに接続された２つのネットワーク間を遠隔中継しながら，予め一定期間はデータの中継を禁止してシステムの保守信号を伝送することで，メディアコンバーターの遠隔監視を行っていた。
（例えば，特許文献１参照）
【０００３】
【特許文献１】特開２００２−１０１４０１号公報
【発明の開示】
【発明が解決しようとする課題】
【０００４】
従来の光伝送路からなるＣＡＴＶシステムにおいて，主として映像系の信号を伝送するシステムでは，センター局からサブセンター局等へ光信号を用いて伝送する場合，伝送時に発生する伝送損失の補償や，Ｃ／Ｎの劣化を防ぐために光増幅装置を介在させる場合が有る。ところがこうした映像系の光伝送の場合は，前記光増幅器の動作状態を監視したり制御したりするためには，光増幅器に備えた監視装置からの監視用信号を専用の伝送路を用いて，センター局若しくはサブセンター局に信号を戻すことによって監視する方法が一般的であり，光増幅器の設置数に対応した本数の光伝送路を設置する必要があり，延いてはシステムのコストアップとなっていた。そこで本願はこうした問題点を解決するためになされたものであり，
その目的は，映像信号系の光信号を伝送するために光増幅器を備えたＣＡＴＶ光伝送システムにおいて，該光増幅器を簡単な構成で監視・制御が可能な光増幅器監視システムを提供することにある。
他の目的は，映像信号系の光信号を伝送するために光増幅器を備えたＣＡＴＶ光伝送システムにおいて，センター局若しくはサブセンター局のどちら側からでも光増幅器の監視・制御が可能な光増幅器監視システムを提供することにある。
他の目的は，映像信号系の光信号を伝送するために光増幅器を備えたＣＡＴＶ光伝送システムにおいて，センター局，光増幅器，サブセンター局を夫々一本の光伝送路で接続して，映像系の信号と，光増幅器の監視・制御信号とを伝送可能な光増幅器監視システムを提供することにある。
他の目的は，映像信号系の光信号を伝送するために光増幅器を備えたＣＡＴＶ光伝送システムにおいて，光増幅器の監視を継続的に行える光増幅器監視システムを提供することにある。
【課題を解決するための手段】
【０００５】
上記課題を解決するために，請求項１の発明はセンター局から光伝送路を介して光増幅器と接続するように構成されたＣＡＴＶシステムにおいて，前記センター局と前記光増幅器には，夫々波長分割多重化装置を備え，当該波長分割多重化装置を一本の光ファイバを介して対抗配置した光伝送路を構成し，当該光伝送路を介して，前記センター局からは，センター局の光送信機において下り電気信号を光信号に変換した下り光信号を前記光増幅器に送出すると共に，前記光増幅器に備えられ，当該光増幅器の動作状態を監視・制御する監視手段に接続された光増幅器側のメディアコンバーターと，前記センター局に備えられ，前記光増幅器側のメディアコンバーターとの間で，光信号の送受信を行う光送信機側のメディアコンバーターと，当該光送信機側のメディアコンバーターに接続され前記光増幅器を監視・制御する光増幅器監視装置との間で信号を送受するように構成し，前記メディアコンバーター間に伝送される信号と前記下り光信号とを波長多重して伝送するように構成した。
【０００６】
請求項２の発明は，センター局とサブセンター局間を，光伝送路を介して光増幅器で接続されたＣＡＴＶシステムにおいて，前記センター局とセンター局側の光増幅器には，夫々波長分割多重化装置を備え，当該波長分割多重化装置を一本の光ファイバを介して対抗配置したセンター局側の光伝送路と，
サブセンター局側の光増幅器と前記サブセンター局には，夫々波長分割多重化装置を備え，当該波長分割多重化装置を一本の光ファイバを介して対向配置したサブセンター局側の光伝送路と，前記センター局側の光増幅器と前記サブセンター局側の光増幅器との間を接続する一本の光伝送路で接続されており，前記センター局側の光伝送路を介して，前記センター局から前記センター局側の光増幅器へは，前記センター局の光送信機において下り電気信号を光信号に変換した下り光信号を前記センター局側の光増幅器に送出し，
当該センター局側の光増幅器に備えられ，当該光増幅器の動作状態を監視・制御する監視手段に接続されたメディアコンバーターと，前記センター局に備えられ，前記センター局側の光増幅器に備えたメディアコンバーターとの間で光信号の送受信を行う光送信機側のメディアコンバーターと，当該光送信機側のメディアコンバーターに接続され，前記センター局側の光増幅器を監視・制御する光増幅器監視装置との間で信号を送受し，前記光送信機側とセンター局側の光増幅器に備えたメディアコンバーター間に伝送される信号と前記下り信号を波長多重して伝送すると共に，
前記サブセンター局側の光伝送路を介して，前記サブセンター局側の光増幅器から前記サブセンター局へは，前記センター局から送出された下り光信号を前記サブセンター局に備えた光受信機に送出し，前記サブセンター局側の光増幅器に備えられ，当該光増幅器の動作状態を監視・制御する監視手段に接続されたサブセンター局側の光増幅器に備えたメディアコンバーターと，前記サブセンター局に備えられ，前記サブセンター側の光増幅器のメディアコンバーターとの間で光信号の送受信を行う光受信機側のメディアコンバーターと，当該光受信機側のメディアコンバーターに接続され，前記サブセンター局側の光増幅器を監視・制御する光増幅器監視装置との間で信号を送受し，前記センター局側の光増幅器と光送信機側とに備えたメディアコンバーター間に伝送される信号と前記下り信号を波長多重して伝送するように構成した。
【０００７】
請求項３の発明は，請求項２に記載の光増幅器監視システムにおいて，前記センター局とサブセンター局を接続する光伝送路には一つの光増幅器が備えられ，当該光増幅器に備えた波長分割多重化装置は，この光増幅器の入力側に接続された光伝送路若しくは出力側に接続された光伝送路の何れかに選択的に接続できるように構成することで，前記光増幅器は前記センター局からの下り光信号を増幅してサブセンター局側に送出すると共に，前記光増幅器側のメディアコンバーターの光信号を，前記光増幅器の入力側若しくは出力側の何れかに波長多重して送受できるように構成した。
【０００８】
請求項４の発明は，請求項２又は３に記載の光増幅器監視システムにおいて，サブセンター局は，波長分割多重化装置と，下り光信号を下り電気信号に変換する光受信機と，光受信機側のメディアコンバーターと，モデムとからなり，当該モデムは前記センター局に備えた光増幅器監視装置と電話線で接続されることによって，前記センター局に備えた光増幅器監視装置は，光伝送路に設けた光増幅装置を監視・制御するように構成した。
【０００９】
請求項５の発明は，請求項４に記載の光増幅器監視システム前において，記サブセンター局に備えた，波長分割多重化装置と，下り光信号を下り電気信号に変換する光受信機と，光受信機側のメディアコンバーターと，モデムとを端末側の装置として宅内に配設した。
【００１０】
請求項６の発明は，光増幅器において，当該光増幅器には，波長分割多重化装置と，当該光増幅器の動作状態を監視・制御する監視手段に接続されたメディアコンバーターとが備えられ，前記波長分割多重化装置は，この光増幅器の入力側若しくは出力側の何れかに選択的に接続できるように構成し，前記光増幅器に備えたメディアコンバーターの光信号を，前記光増幅器の入力側若しくは出力側の何れかに波長多重して送受できるように構成した。
【発明の効果】
【００１１】
請求項１の発明によれば，センター局から光伝送路を介して光増幅器と接続するように構成されたＣＡＴＶシステムにおいて，前記センター局と前記光増幅器には，夫々波長分割多重化装置を備え，当該波長分割多重化装置を一本の光ファイバを介して対抗配置した光伝送路を構成し，当該光伝送路を介して，前記センター局からは，センター局の光送信機において下り電気信号を光信号に変換した下り光信号を前記光増幅器に送出すると共に，前記光増幅器に備えられ，当該光増幅器の動作状態を監視・制御する監視手段に接続された光増幅器側のメディアコンバーターと，前記センター局に備えられ，前記光増幅器側のメディアコンバーターとの間で，光信号の送受信を行う光送信機側のメディアコンバーターと，当該光送信機側のメディアコンバーターに接続され前記光増幅器を監視・制御する光増幅器監視装置との間で信号を送受するように構成し，前記メディアコンバーター間に伝送される信号と前記下り光信号とを波長多重して伝送するように構成したので,該光増幅器を継続的に且つ簡単な構成で監視・制御が可能な光増幅器監視システムを提供することができる。
【００１２】
請求項２の発明によれば，センター局とサブセンター局間を，光伝送路を介して光増幅器で接続されたＣＡＴＶシステムにおいて，前記センター局とセンター局側の光増幅器には，夫々波長分割多重化装置を備え，当該波長分割多重化装置を一本の光ファイバを介して対抗配置したセンター局側の光伝送路と，
サブセンター局側の光増幅器と前記サブセンター局には，夫々波長分割多重化装置を備え，当該波長分割多重化装置を一本の光ファイバを介して対向配置したサブセンター局側の光伝送路と，前記センター局側の光増幅器と前記サブセンター局側の光増幅器との間を接続する一本の光伝送路で接続されており，前記センター局側の光伝送路を介して，前記センター局から前記センター局側の光増幅器へは，前記センター局の光送信機において下り電気信号を光信号に変換した下り光信号を前記センター局側の光増幅器に送出し，
当該センター局側の光増幅器に備えられ，当該光増幅器の動作状態を監視・制御する監視手段に接続されたメディアコンバーターと，前記センター局に備えられ，前記センター局側の光増幅器に備えたメディアコンバーターとの間で光信号の送受信を行う光送信機側のメディアコンバーターと，当該光送信機側のメディアコンバーターに接続され，前記センター局側の光増幅器を監視・制御する光増幅器監視装置との間で信号を送受し，前記光送信機側とセンター局側の光増幅器に備えたメディアコンバーター間に伝送される信号と前記下り信号を波長多重して伝送すると共に，
前記サブセンター局側の光伝送路を介して，前記サブセンター局側の光増幅器から前記サブセンター局へは，前記センター局から送出された下り光信号を前記サブセンター局に備えた光受信機に送出し，前記サブセンター局側の光増幅器に備えられ，当該光増幅器の動作状態を監視・制御する監視手段に接続されたサブセンター局側の光増幅器に備えたメディアコンバーターと，前記サブセンター局に備えられ，前記サブセンター側の光増幅器のメディアコンバーターとの間で光信号の送受信を行う光受信機側のメディアコンバーターと，当該光受信機側のメディアコンバーターに接続され，前記サブセンター局側の光増幅器を監視・制御する光増幅器監視装置との間で信号を送受し，前記センター局側の光増幅器と光送信機側とに備えたメディアコンバーター間に伝送される信号と前記下り信号を波長多重して伝送するように構成したので，センター局，光増幅器，サブセンター局を夫々一本の光伝送路で接続して，映像系の信号と，光増幅器の監視・制御信号とを伝送可能となり，システムの光増幅器を簡単な構成で継続的に監視できるシステムを提供できるのである。
【００１３】
請求項３の発明によれば，請求項２に記載の光増幅器監視システムにおいて，前記センター局とサブセンター局を接続する光伝送路には一つの光増幅器が備えられ，当該光増幅器に備えた波長分割多重化装置は，この光増幅器の入力側に接続された光伝送路若しくは出力側に接続された光伝送路の何れかに選択的に接続できるように構成することで，前記光増幅器は前記センター局からの下り光信号を増幅してサブセンター局側に送出すると共に，前記光増幅器側のメディアコンバーターの光信号を，前記光増幅器の入力側若しくは出力側の何れかに波長多重して送受できるように構成したので，センター局若しくはサブセンター局のどちら側からでも光増幅器の監視・制御ができるように選択可能な汎用性の高い光増幅器監視システムを提供できる。
【００１４】
請求項４の発明によれば，請求項２又は３に記載の光増幅器監視システムにおいて，サブセンター局は，波長分割多重化装置と，下り光信号を下り電気信号に変換する光受信機と，光受信機側のメディアコンバーターと，モデムとからなり，当該モデムは前記センター局に備えた光増幅器監視装置と電話線で接続されることによって，前記センター局に備えた光増幅器監視装置は，光伝送路に設けた光増幅装置を監視・制御するように構成したので，光増幅器監視装置をセンター局に備えるだけでよく，更に安価に光増幅器監視システムが提供できる。
【００１５】
請求項５の発明によれば，請求項４に記載の光増幅器監視システム前において，記サブセンター局に備えた，波長分割多重化装置と，下り光信号を下り電気信号に変換する光受信機と，光受信機側のメディアコンバーターと，モデムとを端末側の装置として宅内に配設したので，光伝送路で宅内まで引き込むようなシステムにおいても，光増幅器監視装置をセンター局に備えるだけで光増幅器監視システムが提供できる。
【００１６】
請求項６の発明によれば，光増幅器において，当該光増幅器には，波長分割多重化装置と，当該光増幅器の動作状態を監視・制御する監視手段に接続されたメディアコンバーターとが備えられ，前記波長分割多重化装置は，この光増幅器の入力側若しくは出力側の何れかに選択的に接続できるように構成し，前記光増幅器に備えたメディアコンバーターの光信号を，前記光増幅器の入力側若しくは出力側の何れかに波長多重して送受できるように構成したので，ＣＡＴＶシステムの設計状況に合わせて，当該光増幅器の動作状態をセンター局から若しくはサブセンター局から監視できる光増幅器を提供できる。
【発明を実施するための最良の形態】
【００１７】
以下に，本発明を具体化した実施形態の例を，図面を基に詳細に説明する。
図１は本願における光増幅器監視システムの第１の実施形態を示すシステム図である。図２は光増幅器の概略構成図である。図３，図４は本願における光増幅器監視システムの第２の実施形態を示すシステム図である。図５は本願の異なる実施例である。
【実施例１】
【００１８】
図１及び図２を用いて本願の第１の実施形態を示し説明する。図１において１０はセンター局であり，アンテナ２で受信した信号をヘッドエンド装置３で所定の処理をされた後，４に示す光送信機において下り光信号に変換される。光送信機４から送出された光信号は光増幅器５において所定レベルまで増幅された後に，光ファイバ６ａを介して６に示す光送信機側の波長分割多重化装置に入力される。この波長分割多重化装置６は異なる波長の光信号を合成する合成器であると共に，波長多重化された信号を夫々の信号に分波する分波器である。
７は光送信機側のメディアコンバーター，８は光増幅器監視装置であり，例えばイーサネット（Ｒ）ケーブル９等で接続されており，相互にデータの送受を行うように構成されている。更にメディアコンバーター７は光ファイバ６ｂを介して前記波長分割多重化装置６に接続されており，これによってこのメディアコンバーター７と前記光送信機４とは前記波長分割多重化装置６を介して光ファイバケーブル１１と接続されている構成になっている。
【００１９】
前記センター局１０は，光ファイバケーブル１１を介して２０に示す光増幅装置と接続されている。
このセンター局側に配設された光増幅装置２０は，光増幅器２０ａと光増幅器側の波長波長分割多重化装置１２と，光増幅器側のメディアコンバーター１３を備えている。この波長分割多重化装置１２は，光ファイバケーブル１１を介して，前記センター局１０に備えた光送信機側の波長分割多重化装置６と対抗配置されていると共に，この波長分割多重化装置１２の出力には光幅器２０ａとメディアコンバーター１３が夫々光ファイバ１２ａ，１２ｂを介して接続されている。
光増幅器２０ａには監視手段１００が備えられており，この光増幅器２０ａの動作状態を監視・制御するように構成されている。また，この監視手段１００とメディアコンバーター１３とは例えばイーサネット（Ｒ）ケーブル１５で接続されており，監視手段１００とメディアコンバーター１３との間で，監視手段１００からの監視信号や，監視手段１００への制御信号の送受を行っている。
このようにして，センター局１０とセンター局側の光増幅器２０との間で光ファイバケーブル１１を介して，下り光信号を伝送すると共に，センター局１０のメディアコンバーター７と光増幅器２０のメディアコンバーター１３との間で監視・制御信号の送受を行うように構成されている。
【００２０】
次に前記光増幅装置２０は光ファイバケーブル２１を介してサブセンター局側の光増幅器２５と接続されている。
この光増幅装置２５は，光増幅器２５ａと光増幅器側の波長波長分割多重化装置２６と，メディアコンバーター２７とからなり，前記光増幅器２５ａとメディアコンバーター２７は，夫々２６ａ，２６ｂを介して前記波長分割多重化装置２６に接続されており，当該波長分割多重化装置の出力は光ファイバケーブル３１に接続されている。
光増幅器２５ａには監視手段１００が備えられており，この光増幅器２５ａの動作状態を監視・制御するように構成されている。また，この監視手段１００とメディアコンバーター２７とは例えばイーサネット（Ｒ）ケーブル２８で接続されており，監視手段１００とメディアコンバーター２７との間で，監視手段１００からの監視信号や，監視手段１００への制御信号の送受を行っている。
【００２１】
次に光増幅器２５は光ファイバケーブル３１を介してサブセンター局３０に接続されている。
このサブセンター局３０側には，光増幅器側の波長波長分割多重化装置３２と，光増幅器側のメディアコンバーター３３と，光増幅器２５の監視装置３４と，前記下り光信号を下り電気信号に変換する光受信機３６を備えている。この波長分割多重化装置３２は，光ファイバケーブル３１を介して，前記サブセンター局側の光増幅器２５に備えた波長分割多重化装置２６と対抗配置されており，この波長分割多重化装置３２の出力には光受信機３６とメディアコンバーター３３が光ファイバ３２ａ，３２ｂを介して接続されている。
３４は光増幅器監視装置であり，前記光受信機側のメディアコンバーター３３と相互に例えばイーサネット（Ｒ）ケーブル３５等で接続されている。
このようにして，光増幅装置２５とサブセンター局３０との間で光ファイバケーブル３１を介して，下り光信号を伝送すると共に，光増幅装置２５のメディアコンバーター２７とサブセンター局３０のメディアコンバーター３３との間で監視・制御信号の送受を行うように構成されている。
【００２２】
このように構成された光増幅器監視システムについて更に詳しく説明する。
先ずセンター局１０のヘッドエンド装置３から送出された，例えば７０〜７７０ＭＨｚ帯の下り電気信号は，光送信機４において波長が１．５５μｍ帯の下り光信号に変換されて後に，光増幅器５において適宜増幅されて波長分割多重化装置６に入力される。この波長分割多重化装置６を通過した光信号は，光ファイバケーブル１１を介して，センター局側の光増幅装置２０に備えた波長分割多重化装置１２を介して光増幅器２０ａに入力され，この光増幅器２０ａにおいて所定レベルまで増幅された後に，光ファイバケーブル２１を介して，サブセンター局側の光増幅装置２５に送出される。この光増幅装置２５においても，光増幅器２５ａで所定レベル増幅した後，波長分割多重化装置２６から光ファイバケーブル３１を介して，サブセンター局３０の波長分割多重化装置３２を介して光受信機３６に入力さる。この光受信機３６において変換されて出力される下り電気信号である７０〜７７０ＭＨｚ帯の信号は，図示されていない，例えば同軸ケーブル等で構成された伝送路を介して夫々分岐分配されながら伝送されていく。
【００２３】
この下り光信号の伝送経路における伝送品質を安定させるためには，各光増幅器において，当該光増幅器の動作状態を監視する必要がある。例えば光増幅器における光信号の入力レベルや出力レベル，動作温度等の監視を行うのである。そこで図２に示すように，光増幅器２０ａには監視手段１００が備えられている。この監視手段１００は，監視を必要とする光増幅回路１２０から各種アナログデータを取得して，このアナログデータを夫々ディジタル信号に変換するＡ／Ｄ変換器１２１，１２２と，当該Ａ／Ｄ変換器１２１，１２２からの出力を制御する制御部１２４とからなり，光増幅器２０ａに備えさる構成となっている。この監視手段１００では，光増幅器から取得した監視データをアナログからディジタル信号に変換すると共に，１０ＢＡＳＥ−Ｔ或いは１００ＢＡＳＥ−ＴＸの信号に変換して出力できるように構成されている。
【００２４】
この監視手段１００には，前記１０ＢＡＳＥ―Ｔ或いは１００ＢＡＳＥ−ＴＸの信号を伝送する例えばイーサネット（Ｒ）ケーブル１５を介してメディアコンバーター１３が接続されている。このメディアコンバーター１３は，入力されたディジタルデータを長距離伝送するために，当該データを光信号に変換するための装置であり，ＩＥＥＥ８０２．３に規定された１０ＢＡＳＥ−ＦＬ或いは１００ＢＡＳＥ−ＦＸに準拠した光ファイバインターフェースを有し，前記光増幅器２０ａに備えた監視手段１００において取得した各種監視データを受入れて，当該監視データを光信号として送出する。
【００２５】
メディアコンバーターから出力された光信号，例えば１．３１μｍ帯の光信号は光ファイバ１２ｂを介して波長分割多重化装置１２に入力され，この波長分割多重化装置１２において，前記下り光信号と多重化されて光ファイバケーブル１１を介してセンター局１０に備えた波長分割多重化装置６に送出される。
この波長分割多重化装置６には，上記に示すように光ファイバ６ａを介して１，５５μｍ帯の下り光信号が入力されて光ファイバケーブル１１に伝送されているが，当該光ファイバケーブル１１を介して伝送された前記メディアコンバーター１３からの１．３１μｍ帯の光信号は，この波長分割多重化装置６において分波された後に，光ファイバ６ｂを介してセンター局１０に備えたメディアコンバーター７に入力される。このメディアコンバーター７も前記光増幅器側のメディアコンバーター１３と同様の構成をしており，入力された１．３１μｍ帯の光信号を１０ＢＡＳＥ−Ｔ或いは１００ＢＡＳＥ−Ｔの信号として出力する。
更に，このセンター局１０側のメディアコンバーター７には，例えばイーサネット（Ｒ）ケーブル９を介してメディアコンバーター管理装置が備えられており，当該管理装置において，前記光増幅器２０ａの監視データを処理して，モニタ等の表示手段に状態の表示ができるように構成されている。
【００２６】
また，図２に示すように，前記監視手段１００に，１０ＢＡＳＥ−Ｔ或いは１００ＢＡＳＥ−ＴＸの信号で入力されたディジタル信号を制御部１２４で受入れて，当該制御部１２４からの信号を各部の制御に必要なアナログ信号に変換するＤ／Ａ変換器１２３を備えさせることによって，光増幅器監視装置８から，前記メディアコンバーター７，１３を介して前記光増幅器２０ａの遠隔制御を行うことも可能である。この実施例では，光増幅器監視装置８から遠隔操作するために，メディアコンバーター７からメディアコンバーター１３に伝送される光信号は１．４９μｍ帯の波長の信号を用いる。
【００２７】
サブセンター局側の光増幅器２５とサブセンター局３０の間の光伝送路も上述と同様の構成となるように伝送路が構成されている。即ち，光ファイバケーブル３１を介して波長分割多重化装置２６と３２を対向配置させると共に，光増幅器側の波長分割多重化装置２６には，光増幅器２５に備えた監視手段１００とイーサネット（Ｒ）ケーブル２８で接続されたメディアコンバーター２７が接続され，サブセンター局側の波長分割多重化装置３２にはメディアコンバーター３２が接続され，相互に対抗配置されており，更に，サブセンター局側のメディアコンバーター３３には光増幅器監視装置３４がイーサネット（Ｒ）ケーブルを介して接続されており，前記光ファイバケーブル３１を介して，下り光信号が光増幅器からサブセンター局３０に伝送されると共に，メディアコンバーター２７と３３との間で送受される光信号が波長分割多重化されて伝送されるように構成されている。
【００２８】
尚，この第１の実施例ではセンター局１０とサブセンター局３０との光伝送路における光増幅器監視システムについて説明したが，例えば図５に示すように，光伝送路をサブセンター局の替わりに端末である建築物等の宅内に引き込む場合を考えると，この宅内には，波長分割多重化装置３２と光受信機３６とメディアコンバーター３３とを備えると共に，当該メディアコンバーター３３の出力信号を電話器等の通信媒体で伝送するための音声モデム３７を備えさせることによって，このメディアコンバーター３３は電話用ケーブル３８を介して音声モデム３７に接続され，該音声モデム３７は電話回線３９を介してセンター局１０の光増幅器監視装置８に接続されることで，当該監視装置８によって，光増幅器２５の動作状態の監視や制御を行うようにできる構成にしてもよい。
尚，本願の実施例では，下り光信号の伝送用に１．５５μｍ帯の波長の光信号を用い，メディアコンバーター間の光信号の送受に１．３１μｍ帯と１．４９μｍ帯の波長の光信号を用いた例を示したが，この使用例に限定されるものではない。また，光増幅器の台数を２台備えた例を示したが，この実施例に限定されるものではない。
【実施例２】
【００２９】
次に本発明の第２の実施形態として図３，４を参照して説明する。尚，以下の説明では，上記第１の実施形態と同様の構成要素については同一符号を付与し，詳細な説明は省略する。
【００３０】
この光増幅器監視システムは，センター局１０とサブセンター局３０とを１つの光増幅器２０で伝送するシステムについてである。このシステムにおいても上述の例と同様に光ファイバケーブルを介して波長分割多重化装置を対抗配置し，下り光信号とメディアコンバーター間に送受される光信号とを波長分割多重して伝送するのであるが，この実施例の特徴は，光増幅器に備えた波長分割多重化装置１２の接続経路を，前記光増幅器２０ａの入力側或いは出力側かを，切替手段を用いて選択的に切替可能とすることにより，光増幅器の動作状態を監視したデータ-を光変換するメディアコンバーター１３との信号の送受を，センター局１０側のメディアコンバーター７と行うか或いはサブセンター局側のメディアコンバーター３３と行うかを選択できるシステムを提供しようとするものである。
【００３１】
このシステムに用いる光増幅装置について更に詳細に説明する。この光増幅装置２０には光増幅器２０ａの入力側と出力側に切替手段１８ａ及び１８ｂが備えられている。
この実施例によれば，図３に示すように，センター局１０のメディアコンバーター管理装置８によって光増幅器２０ａの監視・制御を行う場合は，光ファイバケーブル１１からの光信号は，切替手段１８ａから波長分割多重化装置１２を介して光増幅器２０ａに入力されると共に，当該波長分割多重化装置１２には，メディアコンバーター１３が接続されており，センター局１０のメディアコンバーター７との間で信号の送受を行うことで，センター局１０のメディアコンバーター管理装置８において光増幅器２０ａの監視・制御を行う事ができる。
逆に，図４に示すように，サブセンター局３０のメディアコンバーター管理装置３４によって光増幅器２０ａの監視・制御を行う場合は，光増幅器２０ａによって増幅された光信号は，切替手段１８ｂから波長分割多重化装置１２を介して光ファイバケーブル２１に出力されると共に，当該波長分割多重化装置１２には上述のようにメディアコンバーター１３が接続されており，サブセンター局３０のメディアコンバーター３３との間で信号の送受を行うことで，サブセンター局３０のメディアコンバーター管理装置３４において光増幅器２０ａの監視・制御を行う事ができるのである。
【００３２】
このように本願に示す実施例によれば，光増幅器を備えた光伝送システムにおいて，下り光信号を伝送すると共に，前記光増幅器を監視・制御するために，前記光増幅器とサンター局及びサブセンター局間に一本の光伝送路を備え，当該光伝送路を介して波長分割多重化装置を対向配置させることによって，下り光信号を伝送するばかりでなく，前記光増幅装置の動作状態を監視・制御する信号を扱う監視手段１００と接続されたメディアコンバーターと，センター局及びサブセンター局に備えたメディアコンバーターとを相互に光信号を送受するように構成し，更に光増幅器監視装置によって監視・制御を行うようにしたので，光ファイバ一本で光伝送路が実現でき，簡単な工事でもって，継続的に光増幅装置の監視ができるシステムを提供できるのである。
また，実施例２のような構成にすることによって，システムの状況に応じて，センター局側若しくはサブセンター局側のどちらからでも光増幅器を監視できる汎用性の高い光増幅器監視システムを提供できるのである。
尚，本発明は上記実施の形態に限定されるものではなく，本発明の趣旨を逸脱しない範囲で各部の構成を適宜に変更して実施することも可能である。
【図面の簡単な説明】
【００３３】
【図１】本願における光増幅器監視システムの第１の実施形態を示すシステム図である。
【図２】光増幅器の概略構成図である。
【図３】本願における光増幅器監視システムの第２の実施形態を示すシステム図である。
【図４】本願における光増幅器監視システムの第２の実施形態を示すシステム図である。
【図５】本願の異なる実施例である。
【符号の説明】
【００３４】
２…アンテナ，３…ヘッドエンド，４…光送信機，５…光増幅器，６…波長分割多重化装置，６ａ・６ｂ…光ファイバ，７…メディアコンバーター，８…メディアコンバーター管理装置，９…イーサネット（Ｒ）ケーブル，１０…センター局，１１…光ファイバケーブル，１２…波長分割多重化装置，１２ａ，１２ｂ…光ファイバ，１３…メディアコンバーター，１５…イーサネット（Ｒ）ケーブル，１８ａ，１８ｂ…切替手段，２０…光増幅装置，２０ａ…光増幅器，２１…光ファイバケーブル，２５…光増幅装置，２５ａ…光増幅器，２６…波長分割多重化装置，２６ａ・２６ｂ…光ファイバ，２７…メディアコンバーター，２８…イーサネット（Ｒ）ケーブル，２９…，３０…サブセンター局，３１…光ファイバケーブル，３２…波長分割多重化装置，３３…メディアコンバーター，３４…メディアコンバーター管理装置，３５…イーサネット（Ｒ）ケーブル，３６…光受信機，１００…監視手段，１２０…光増幅回路，１２１，１２２…Ａ／Ｄ変換器，１２３…Ｄ／Ａ変換器，１２４…制御部
【図１】
2005318314.tif 000003
【図２】
2005318314.tif 000004
【図３】
2005318314.tif 000005
【図４】
2005318314.tif 000006
【図５】
2005318314.tif 000007